(57)【要約】【課題】シンプルな構成によって多心用コネクタプラグを形成することができ、アダプタに対するプラグの高密度実装を可能とし、しかも、アダプタに対してワンタッチで且つ迅速に脱着可能とした多連結型光コネクタを提供する。【解決手段】単一のケース１内に、ストップリング２ｅ側から引き出した２本以上の光ケーブルＫに接続する複数のフェルール２ａを各スプリング２ｄを介して並列状に収納可能とするプラグ本体Ｐを備える。ケース１は、各フェルール２ａの先端側を挿入する複数の挿入孔３を有する前側ケース部１ａと、各フェルール２ａの後端側を各スプリング２ｄを介して挿入する複数の挿入孔３を有する後側ケース部１ｂとから成り、両ケース部１ａ、１ｂは、互いに組み合わして固定可能に形成されている。【選択図】図１
2011027876.tif 000002
【特許請求の範囲】
【請求項１】
単一のケース内に、ストップリング側から引き出された２本以上の光ケーブルに接続される複数のフェルールを各スプリングを介して並列状に収納可能とするプラグ本体を備え、且つ前記ケースには、アダプタ外壁と係合するラッチ片を設けることで当該アダプタに対する抜け止め機構を形成していることを特徴とする多連結型光コネクタ。
【請求項２】
ケースは、各フェルールの先端側が挿入される複数の挿入孔を有する前側ケース部と、各フェルールの後端側が各スプリングを介して挿入される複数の挿入孔を有する後側ケース部とから成り、両ケース部は、互いに組み合わされて固定可能に形成されている請求項１記載の多連結型光コネクタ。
【請求項３】
抜け止め機構のラッチ片は、金属製の弾性板によって形成されている請求項１記載の多連結型光コネクタ。
【請求項４】
抜け止め機構のラッチ片は、上下揺動自在とした操作具の先端に保持されている請求項１または３記載の多連結型光コネクタ。
【発明の詳細な説明】
【技術分野】
【０００１】
本発明は、複数の光コネクタプラグを並列状態に連結して多心用コネクタプラグとして使用可能とした多連結型光コネクタに関する。
【背景技術】
【０００２】
従来、特許文献１に開示されているように、光コネクタクリップを介して互いに連結されている光コネクタプラグ同士に対し、これらを互いに引き離すような無理な引っ張り力が外部から働いても、光コネクタクリップから各光コネクタプラグが離脱されずに安定した保持状態を常に維持することができる光コネクタ連結構造体がある。
【０００３】
すなわち、この光コネクタ連結構造体は、図１０に示すように、複数の光コネクタプラグを横並び状態に連結して多心用コネクタプラグとして使用可能とするものであり、外周に環状溝もしくはリング型突起状の被嵌合部を形成して成るブーツ１００と、該ブーツ１００の被嵌合部に嵌合されるよう内周にリング型突起状もしくは環状溝の嵌合部を備えた複数のブーツ挿入部が並設されたクリップ体１０１とを備えて成る。
【０００４】
そして、クリップ体１０１は、図１０に示すように、弾性を有する素材にて形成されており、複数のブーツ挿入部にわたる外側面から突出プレート１０２が斜めに突出され、アダプタ１０３と係合するよう各プラグ本体１０４ａ、１０４ｂの先端から後方へ向けて斜めに設けられたラッチ片１０５ａ、１０５ｂが前記突出プレート１０２にそれぞれ係合され、突出プレート１０２をクリップ体１０１側に向けて押圧させることによって各ラッチ片１０５ａ、１０５ｂをプラグ本体１０４ａ、１０４ｂに近づく方向に変位させるものとなっている。
【０００５】
こうして、クリップ体１０１の突出プレート１０２に、両プラグ本体１０４ａ、１０４ｂの各ラッチ片１０５ａ、１０５ｂがそれぞれ先端同士で係合され、一対のブーツ１００がプラグ本体１０４ａ、１０４ｂと共に二連並列状態となってクリップ体１０１に保持固定されるものである。
【先行技術文献】
【特許文献】
【０００６】
【特許文献１】特開２００８−１２２５０６号公報
【発明の概要】
【発明が解決しようとする課題】
【０００７】
しかしながら、従来におけるコネクタ連結構造体は、一対のブーツがプラグ本体と共にクリップ体の複数のブーツ挿入部に各挿入されて当該クリップ体に二連並列状態となって保持固定されると同時に、クリップ体は、複数のブーツ挿入部にわたる外側面から斜めに突出されてた突出プレートに、各プラグ本体の先端から後方へ向けて斜めに設けられたラッチ片がそれぞれ係合されるものとなっているので、一対のブーツに対応した一対のブーツ挿入部の形成、各プラグ本体のラッチ片の形成、ラッチ片に係合させる突出プレートの形成等々、非常に複雑な機構となってしまっており、高密度エリア内での操作性が余り良くないという問題点を有している。
【０００８】
そこで、本発明は、叙上のような従来存した諸事情に鑑み案出されたもので、シンプルな構成によって多心用コネクタプラグを形成することができ、アダプタに対するプラグの高密度実装を可能とし、しかも、アダプタに対してワンタッチで且つ迅速に脱着可能とした多連結型光コネクタを提供することを目的とする。
【課題を解決するための手段】
【０００９】
上述した課題を解決するために、本発明にあっては、単一のケース内に、ストップリング（ブーツ）側から引き出された２本以上の光ケーブルに接続される複数のフェルールを各スプリングを介して並列状に収納可能とするプラグ本体を備え、且つ前記ケースには、アダプタ外壁と係合するラッチ片を設けることで当該アダプタに対する抜け止め機構を形成しているものである。
【００１０】
ケースは、各フェルールの先端側が挿入される複数の挿入孔を有する前側ケース部と、各フェルールの後端側が各スプリングを介して挿入される複数の挿入孔を有する後側ケース部とから成り、両ケース部は、互いに組み合わされて固定可能に形成されている。
【００１１】
抜け止め機構のラッチ片は、金属製の弾性板によって形成されている。
【００１２】
抜け止め機構のラッチ片は、上下揺動自在とした操作具の先端に保持されている。
【発明の効果】
【００１３】
本発明によれば、シンプルな構成によって多心用コネクタプラグを形成することができ、アダプタに対するプラグの高密度実装を可能とし、しかも、アダプタに対してワンタッチで且つ迅速に脱着可能とした多連結型光コネクタを提供することができる。
【００１４】
すなわち、本発明は、単一のケース内に、ストップリング（ブーツ）側から引き出された２本以上の光ケーブルに接続される複数のフェルールを各スプリングを介して並列状に収納可能とするプラグ本体を備えているので、シンプルな構成による多心用コネクタプラグを容易に作製することができる。
【００１５】
例えば、ＬＣ２芯スリムパックアダプタの取り付け寸法で４芯の光コネクタプラグが形成可能となる。これにより、同一面積の通信装置に取付けることが出来る心線の本数が二倍になり、多連式光アダプタに対するプラグの高密度実装が可能となる。
【００１６】
そして、ケースは、各フェルールの先端側が挿入される複数の挿入孔を有する前側ケース部と、各フェルールの後端側が各スプリングを介して挿入される複数の挿入孔を有する後側ケース部とから成り、両ケース部は、互いに組み合わされて固定可能に形成されているので、各ケース部の両挿入孔を介して、複数のフェルールを各スプリングと共に容易に並列収納することができる。
【００１７】
ケースには、アダプタ外壁に係合するラッチ片を設けることで当該アダプタに対する抜け止め機構を形成しているので、アダプタの係合凹部と、ケース側のラッチ片だけでシンプルな抜け止め機構を形成することができる。
【００１８】
抜け止め機構のラッチ片は、金属製の弾性板によって形成されているので、アダプタの係合凹部に対しラッチ片を確実で且つしっかりと係止保持させることができる。
【００１９】
抜け止め機構のラッチ片は、上下揺動自在とした操作具の先端に保持されているので、操作具の押圧操作のみにより、プラグ本体はアダプタに対してワンタッチで且つ迅速に脱着可能となる。
【図面の簡単な説明】
【００２０】
【図１】本発明を実施するための一形態における多連結型光コネクタプラグ組み付け手順の一例を示すものであり、ケース体内に各複数のフェルール、スプリングを組み付ける状態の分解斜視図である。
【図２】同じく複数のフェルール、スプリングを組み付けた後の状態のケース体の斜視図である。
【図３】同じくケース体の外側に一対のホルダを嵌合する状態の斜視図である。
【図４】同じくプラグの組み付け完成状態の斜視図である。
【図５．１】同じく多連結型光コネクタプラグの一例を示すもので、（ａ）は正面図、（ｂ）は背面図、（ｃ）は平面図である。
【図５．２】同じく多連結型光コネクタプラグの一例を示すもので、（ｄ）は底面図、（ｅ）は右側面図、（ｆ）は左側面図である。
【図６】同じく多連結型光コネクタプラグの一例を示すもので、（ａ）は図５．２（ｅ）のＡ−Ａ断面図、（ｂ）は図５．１（ａ）のＢ−Ｂ断面図、（ｃ）はプラグをアダプタに接続した状態の断面図である。
【図７】同じく４芯アダプタの一例を示し、（ａ）は正面図、（ｂ）は（ａ）のＸ−Ｘ断面図、（ｃ）は（ａ）のＹ−Ｙ断面図である。
【図８】同じく８芯アダプタの一例を示す正面図である。
【図９】同じく４芯アダプタに対する多連結型光コネクタプラグの使用の一例を示す斜視図である。
【図１０】従来例にける２芯アダプタに対する２連式コネクタプラグの使用の一例を示す斜視図である。
【発明を実施するための形態】
【００２１】
以下、図面を参照して本発明に係る多連結型光コネクタの実施の一形態を詳細に説明する。
図１および図２、図５（ａ）乃至図５（ｆ）、図６（ａ）乃至図６（ｃ）に示すように、本発明に係る多連結型光コネクタを構成するプラグ本体Ｐは、互いに嵌合接続可能とした前側ケース部１ａと後側ケース部１ｂとから成る略矩形筐体状の単一のケース１内に、例えば、２本のフェルール２ａ、フェルールホルダー２ｂ、チューブ２ｃ、スプリング２ｄが内蔵され、ストップリング２ｅ、カシメリング２ｆを介して後方にブーツＶが連設される。
【００２２】
すなわち、ケース１の前側ケース部１ａには、各フェルール２ａの先端側が挿入される２つの挿入孔３、３が形成されている。これに対応すべくケース１の後側ケース部１ｂには、各フェルール２ａの後端側にある各チューブ２ｃが各スプリング２ｄを介して挿入される２つの挿入孔３’、３’が形成されている。
【００２３】
両ケース部１ａ、１ｂは、互いに組み合わされた際には、前側ケース部１ａの各挿入孔３、３と、後側ケース部１ｂの各挿入孔３’、３’とが互いに連通し、その各内部にフェルール２ａ、該フェルール２ａと一体のフェルールホルダー２ｂ、チューブ２ｃ、スプリング２ｄそれぞれが収納される。そして、後側ケース部１ｂの上下対称位置に突設した左右一対の断面略直角三角形の係止突起５ａ、５ｂが、前側ケース部１ａの上下対称位置に穿設した左右一対の係止孔部６ａ、６ｂに係合されて互いに保持固定されるようになっている。
【００２４】
また、後側ケース部１ｂの左右対称位置には、金属製の弾性板によって形成されたラッチ片７ａ、７ｂの基端側のＬ字折曲部分先端が固着され、ラッチ片７ａ、７ｂの中間部分は後側ケース部１ｂの側面に沿って延び、その先端側は互いに内方に向けて若干折り曲げられた状態の係止端部７ｃ、７ｄとなっている。
【００２５】
そして、各ラッチ片７ａ、７ｂは、可撓性のある左右一対の操作具８ａ、８ｂの先端部分によって保持されており、操作具８ａ、８ｂの後端部分の押圧操作によって各ラッチ片７ａ、７ｂの係止端部は互いに外側に若干撓んで拡開するようになっている。このラッチ片７ａ、７ｂは、操作具８ａ、８ｂの押圧操作によって、アダプタ２０の外壁の左右対称位置に形成されている係合凹部２１に係合するもので、当該アダプタ２０に対する抜け止め機構Ｑを形成している（図６（ｃ）、図７（ｃ）および図９参照）。
尚、図９ではプラグ本体Ｐおよびアダプタ２０が縦向きに配置されている。
【００２６】
さらに、ケース１には、図３および図４、図６（ａ）乃至図６（ｃ）、図９に示すように、外側から互いに合致連結して固定される略矩形筐体状となった上下一対のホルダ部１１ａ、１１ｂを備えている。
【００２７】
すなわち、上側のホルダ部１１ａは、矩形平面板の四隅に、先端に鉤状の爪部を備えた係止爪１２が突設されて成り、且つ前側にはケース１の後端外周の上半分と、ブーツＶ側のストップリング２ｅの外周の上半分とに跨って係架保持される矩形溝部１３ａおよび円弧溝部１３ｂがそれぞれ凹設されている。また、上側のホルダ部１１ａ内側の略中間位置には、円柱状の嵌合突起１４が形成されている。
【００２８】
一方、下側のホルダ部１１ｂは、矩形平面板の四隅に前記係止爪１２を係止するための係止凹部１５が凹設されて成り、且つ前側にはケース１の後端外周の下半分と、ブーツＶ側のストップリング２ｅの外周の下半分とに跨って係架保持される矩形溝部１３ａおよび円弧溝部１３ｂが上側のホルダ部１１ａと同様にしてそれぞれ凹設されている。また、下側のホルダ部１１ｂ内側の略中間位置には、前記円柱状の嵌合突起１４が嵌合する嵌合穴部１６が形成されている。
【００２９】
これら一対のホルダ部１１ａ、１１ｂは、各フェルール２ａに対応してケース１とストップリング２ｅとの間に露出している複数の光ケーブルＫを外方から覆うことで保護するものである（図３、図６（ａ）乃至図６（ｃ）参照）。
【００３０】
アダプタ２０は、図７（ａ）乃至図７（ｃ）に示すように、上下２段のハウジング２２の中央部を前後で仕切るように配された左右一対の接合端壁の一方に、一方の円筒が一方の接続開口端に向かって突設されると共に、他方の接合端壁には、他方の円筒が他方の接続開口端に向かって形成され、両円筒が光学軸上で中心軸を一致させて接合端壁同士を嵌合爪を介して係合固定することによって上下で各二対となった合計４芯のスリーブホルダー２３が形成されて成る。このとき、各スリーブホルダー２３内側に円筒状の割りスリーブ２４がそれぞれ装着され保持されている。
【００３１】
そして、アダプタ２０の外壁の左右対称位置には、上下一対の係合凹部２１が形成され、抜け止め機構Ｑの各ラッチ片７ａ、７ｂの係止端部が各係合するようになっている。
【００３２】
こうして、２芯のプラグ本体Ｐが形成され、図９に示すように、このプラグ本体Ｐの２つを４芯のアダプタ２０に接続できるようにしている。
【００３３】
尚、図８に示すように、上下４段のハウジング２２による８芯のアダプタ２０に、２芯のプラグ本体Ｐの４つを接続しても良い。あるいは、プラグ本体Ｐ自体を上記したように２芯構造とする以外に、３本または４本以上のフェルールに対応すべく３芯または４芯以上の構成とし、アダプタ２０もこれに対応して６芯または８芯以上の構成としても良い。これらアダプタの芯数、２芯のプラグ本体Ｐの個数、プラグ本体Ｐの芯数等は本発明を何等拘束するものではないことは勿論である。
【００３４】
次に、以上のように構成された本発明に係る多連結型光コネクタについての使用、組立（２連式）の一例について説明する。
先ず、図１に示すように、後側ケース部１ｂの２つの挿入孔３’、３’に、チューブ２ｃの後端側を各スプリング２ｄを介して挿入する。そして、前側ケース部１ａを後側ケース部１ｂに被せて、係止突起５ａ、５ｂの係止孔部６ａ、６ｂへの嵌合によって両ケース部１ａ、１ｂ同士を固定する。
【００３５】
こうして、図２に示すように、互いに連通した前側ケース部１ａの各挿入孔３、３と、後側ケース部１ｂの各挿入孔３’、３’との各内部にフェルール２ａ、フェルールホルダー２ｂ、チューブ２ｃ、スプリング２ｄそれぞれが収納されてケース１が組み立てられる。
【００３６】
この際、光ケーブルＫはブーツ６、ストップリング２ｅ、カシメリング２ｆそれぞれに挿入されると共に、光ケーブルＫ先端で剥離された芯線は、ケース１に組み付けられた各チューブ２ｃを介してフェルール２ａの中心に設けられたファイバ孔に挿着される。
【００３７】
そして、図３に示すように、一対のホルダ部１１ａ、１１ｂを、ケース１とストップリング２ｅとに跨って互いに合致させ、係止爪１２と係止凹部１５を係合させ、且つ嵌合突起１４と嵌合穴部１６を嵌合することで両ホルダ部１１ａ、１１ｂは互いに固定される。
【００３８】
こうして、図４、図５（ｃ）乃至図５（ｆ）、図６（ａ）乃至図６（ｃ）に示すように、各フェルール２ａに対応してケース１とストップリング２ｅとの間に露出している複数の光ケーブルＫが一対のホルダ部１１ａ、１１ｂによって覆われることで保護される。
【００３９】
さらに、図６（ｃ）および図９に示すように、このプラグ本体Ｐの２つを４芯のアダプタ２０に接続する。このとき、左右一対の操作具８ａ、８ｂの後端部分を親指と人差し指とでもって押圧操作することによって、抜け止め機構Ｑを形成している各ラッチ片７ａ、７ｂの係止端部７ｃ、７ｄが互いに外側に若干撓んで拡開する。そして、プラグ本体Ｐをアダプタ２０に差し込み、ラッチ片７ａ、７ｂの係止端部７ｃ、７ｄを、アダプタ２０外壁の係合凹部２１に係合させる。
【００４０】
このように簡易な構成とした操作具８ａ、８ｂの押圧操作のみにより、プラグ本体Ｐはアダプタ２０に対してワンタッチで且つ迅速に脱着させることができる。
【符号の説明】
【００４１】
Ｐ                  プラグ本体
Ｋ                  光ケーブル
Ｑ                  抜け止め機構
Ｖ                  ブーツ
１                  ケース
１ａ                前側ケース部
１ｂ                後側ケース部
２ａ                フェルール
２ｂ                フェルールホルダー
２ｃ                チューブ
２ｄ                スプリング
２ｅ                ストップリング
２ｆ                カシメリング
３、３’            挿入孔
５ａ、５ｂ          係止突起
６ａ、６ｂ          係止孔部
７ａ、７ｂ          ラッチ片
７ｃ、７ｄ          係止端部
８ａ、８ｂ          操作具
１１ａ、１１ｂ      ホルダ部
１２                係止爪
１３ａ              矩形溝部
１３ｂ              円弧溝部
１４                嵌合突起
１５                係止凹部
１６                嵌合穴部
２０                アダプタ
２１                係合凹部
２２                ハウジング
２３                スリーブホルダー
２４                円筒状の割りスリーブ
１００              ブーツ
１０１              クリップ体
１０２              突出プレート
１０３              アダプタ
１０４ａ、１０４ｂ  プラグ本体
１０５ａ、１０５ｂ  ラッチ片
【図１】
2011027876.tif 000003
【図２】
2011027876.tif 000004
【図３】
2011027876.tif 000005
【図４】
2011027876.tif 000006
【図５．１】
2011027876.tif 000007
【図５．２】
2011027876.tif 000008
【図６】
2011027876.tif 000009
【図７】
2011027876.tif 000010
【図８】
2011027876.tif 000011
【図９】
2011027876.tif 000012
【図１０】
2011027876.tif 000013